(57)【要約】      （修正有）【課題】使用者がジョブ処理装置との接続をそのまま放置し、接続されたデバイスが無制限に増加してしまうことを避け、不要な接続を切断し、接続数を減らすことが可能な無線通信装置を提供する。【解決手段】ジョブ処理装置に対して無線通信でもってジョブを送信する。該送信が完了するたびに、ジョブ処理装置との無線通信接続を継続させるか否かをユーザが選択して指示するための画面を表示部に表示させる。無線通信接続を継続させない旨の指示が入力された場合には、該無線通信接続を切断する。【選択図】図１
2015197819.tif 000002
【特許請求の範囲】
【請求項１】
無線通信装置であって、
ジョブ処理装置に対して無線通信でもってジョブを送信する送信手段と、
前記送信が完了するたびに、前記ジョブ処理装置との無線通信接続を継続させるか否かをユーザが選択して指示するための画面を、前記無線通信装置が有する表示部に表示させる処理手段と、
前記無線通信接続を継続させない旨の指示が入力された場合には、該無線通信接続を切断する手段と
を備えることを特徴とする無線通信装置。
【請求項２】
前記処理手段は、
前記ジョブ処理装置から前記ジョブに基づく処理が正常に完了した旨の通知を受けた場合に、前記画面を前記表示部に表示させることを特徴とする請求項１に記載の無線通信装置。
【請求項３】
前記処理手段は、
前記ジョブ処理装置から前記ジョブに基づく処理が正常に完了した旨の通知を受け、且つ前記無線通信接続を継続させる旨の指示が入力された場合、該入力から規定時間が経過した後に、前記画面を前記表示部に表示させることを特徴とする請求項１又は２に記載の無線通信装置。
【請求項４】
前記処理手段は、
前記ジョブ処理装置から前記ジョブに基づく処理が正常に完了しなかった旨の通知を受けた場合に、前記画面を前記表示部に表示させることを特徴とする請求項１乃至３の何れか１項に記載の無線通信装置。
【請求項５】
前記処理手段は、
前記ジョブ処理装置から前記ジョブに基づく処理が正常に完了しなかった旨の通知を受け、且つ前記無線通信接続を継続させる旨の指示が入力された場合、該入力から規定時間が経過した後に、前記画面を前記表示部に表示させることを特徴とする請求項１乃至４の何れか１項に記載の無線通信装置。
【請求項６】
前記無線通信装置は携帯端末装置であり、前記ジョブ処理装置は複合機であることを特徴とする請求項１乃至５の何れか１項に記載の無線通信装置。
【請求項７】
ジョブ処理装置と、無線通信装置と、を有するシステムであって、
前記無線通信装置は、
前記ジョブ処理装置に対して無線通信でもってジョブを送信する送信手段と、
前記送信が完了するたびに、前記ジョブ処理装置との無線通信接続を継続させるか否かをユーザが選択して指示するための画面を、前記無線通信装置が有する表示部に表示させる手段と、
前記無線通信接続を継続させない旨の指示が入力された場合には、該無線通信接続を切断すると共に、該無線通信接続の切断要求を前記ジョブ処理装置に通知する手段と
を備え、
前記ジョブ処理装置は、
前記送信手段が送信したジョブを処理する処理手段と、
前記切断要求を受けると、前記無線通信接続を切断する切断手段と
を備えることを特徴とするシステム。
【請求項８】
前記切断手段は更に、
前記処理が完了してから規定時間が経過し、前記処理手段が前記無線通信装置からのジョブを処理していない場合には、前記無線通信接続を切断することを特徴とする請求項７に記載のシステム。
【請求項９】
無線通信装置の制御方法であって、
ジョブ処理装置に対して無線通信でもってジョブを送信する送信工程と、
前記送信が完了するたびに、前記ジョブ処理装置との無線通信接続を継続させるか否かをユーザが選択して指示するための画面を、前記無線通信装置が有する表示部に表示させる処理工程と、
前記無線通信接続を継続させない旨の指示が入力された場合には、該無線通信接続を切断する工程と
を備えることを特徴とする無線通信装置の制御方法。
【発明の詳細な説明】
【技術分野】
【０００１】
本発明は、無線LANの無線通信技術に関するものである。
【背景技術】
【０００２】
スマートフォン等の携帯端末において、IEEE802.11で規定される無線LANによってプリンタに接続し、印刷出力するという機能が求められている。従来の無線ＬＡＮの通信ではアクセスポイントと言う無線機器の媒介が必要であった。近年このアクセスポイントを必要としないWiFiダイレクトと言われる仕様が普及してきている。しかしながらWiFiダイレクトによって接続される機器が増えると、ポーリング等の動作で機器の処理速度が低下し、利用者にストレスを与えると言う問題がある。そこで、この問題の解決の為、何らかの条件に従って不要な接続を切断し、接続数を減らす仕組みが必要となっている。例えば、スマートフォン等から接続する際にはログイン動作を行い、ログオフ情報を受信する事で無線接続を切断すると言う技術がある（特許文献１）。
【先行技術文献】
【特許文献】
【０００３】
【特許文献１】特許第4530960号
【発明の概要】
【発明が解決しようとする課題】
【０００４】
しかしながら特許文献１に開示されている技術の場合、使用者がログオフせずに放置してしまい、WiFiダイレクトにより接続されるデバイスが無制限に増加してしまうと言う問題が有る。本発明はこのような問題による影響を軽減させるための技術を提供する。
【課題を解決するための手段】
【０００５】
本発明の一様態は、無線通信装置であって、ジョブ処理装置に対して無線通信でもってジョブを送信する送信手段と、前記送信が完了するたびに、前記ジョブ処理装置との無線通信接続を継続させるか否かをユーザが選択して指示するための画面を、前記無線通信装置が有する表示部に表示させる処理手段と、前記無線通信接続を継続させない旨の指示が入力された場合には、該無線通信接続を切断する手段とを備えることを特徴とする。
【発明の効果】
【０００６】
本発明の構成によれば、上記のような従来技術の問題による影響を軽減させることができる。
【図面の簡単な説明】
【０００７】
【図１】ＭＦＰの構成例を示すブロック図。
【図２】携帯端末装置の構成例を示すブロック図。
【図３】システムの外観例を示す図。
【図４】ＭＦＰ１０１が行う処理のフローチャート。
【図５】接続デバイス管理リストの構成例を示す図。
【図６】携帯端末装置２０１が行う処理のフローチャート。
【図７】画面の表示例を示す図。
【図８】画面の表示例を示す図。
【図９】携帯端末装置２０１が行う処理のフローチャート。
【図１０】ステップＳ４０４における処理のフローチャート。
【図１１】画面の表示例を示す図。
【図１２】画面の表示例を示す図。
【図１３】画面の表示例を示す図。
【発明を実施するための形態】
【０００８】
以下、添付図面を参照し、本発明の好適な実施形態について説明する。なお、以下説明する実施形態は、本発明を具体的に実施した場合の一例を示すもので、特許請求の範囲に記載した構成の具体的な実施例の１つである。
【０００９】
［第１の実施形態］
本実施形態では、無線通信装置としての携帯端末装置と、該携帯端末装置から無線通信でもって送信されたジョブを受信して処理するジョブ処理装置としての複合機（ＭＦＰ：Multi Function Printer）と、を有するシステムを例にとり説明する。
【００１０】
先ず、本実施形態に係るＭＦＰの構成例について、図１のブロック図を用いて説明する。なお、図１に示したＭＦＰ１０１の構成はあくまでも一例であり、ＭＦＰ１０１が行うものとして後述する各処理を実行可能な構成であれば、如何なる構成を採用しても構わない。本実施形態に係るＭＦＰ１０１は、ＭＦＰ制御部１０２、操作部１０３、リーダ部１０４、プリントエンジン１０５、を有する。
【００１１】
先ず、ＭＦＰ制御部１０２について説明する。ＭＦＰ制御部１０２は、プリント基板上に各種LSI・IC等の電気部品を配置して構成されるものであり、ＭＦＰ１０１全体の動作制御を行うためのものである。
【００１２】
ＣＰＵ１１０は、ＲＯＭ１１２やＲＡＭ１１４に格納されているコンピュータプログラムやデータを用いて処理を実行することで、ＭＦＰ１０１全体の動作制御を行うと共に、ＭＦＰ１０１が行うものとして後述する各処理を実行する。
【００１３】
ＲＯＭ１１２には、ＭＦＰ１０１の設定データや起動プログラム、ＭＦＰ１０１を構成する各ユニットの動作制御を行うためのコンピュータプログラムやデータ、ＭＦＰ１０１が行うものとして後述する各処理をＣＰＵ１１０に実行させるためのコンピュータプログラムやデータ、が格納されている。ＲＯＭ１１２に格納されているコンピュータプログラムには、無線ＬＡＮのプロトコルの制御を行う為の制御プログラム、ＮＦＣのプロトコル制御を行う為の制御プログラム、ＮＦＣの通信によって無線ＬＡＮの接続動作を行う為の制御プログラム、が含まれている。ＲＯＭコントローラ１１１は、ＲＯＭ１１２へのアクセスを制御するためのコントローラである。
【００１４】
ＲＡＭ１１４は、ＲＯＭ１１２からロードされたコンピュータプログラムやデータ、本装置が有する各種のＩ／Ｆを介して受信したデータ、を一時的に記憶するためのエリアや、ＣＰＵ１１０が各種の処理を実行する際に用いるワークエリア、を有する。すなわち、ＲＡＭ１１４は、各種のエリアを適宜提供することができる。ＲＡＭコントローラ１１３は、ＲＡＭ１１４へのアクセスを制御するためのコントローラである。
【００１５】
操作部Ｉ／Ｆ１２２は、操作部１０３が有する操作系及び表示系のユニットとのデータ通信のためのインターフェースとして機能するものである。ＷＬＡＮ／ＮＦＣ  Ｉ／Ｆ１０８は、操作部１０３が有する通信系のユニットとのデータ通信を行うためのインターフェースとして機能するものである。ＬＡＮ  Ｉ／Ｆ１１９は、外部の機器との間でＬＡＮ通信を行うためのインターフェースとして機能するものである。
【００１６】
ＵＳＢ−Ｄ  Ｉ／Ｆ１２０は、ＵＳＢを介して本装置に接続されている機器（例えば、ホストＰＣなど）とのデータ通信を行うためのインターフェースとして機能するものである。
【００１７】
ＵＳＢ−Ｈ  Ｉ／Ｆ１２１は、ＵＳＢストレージユニット等の挿抜可能な記憶装置や、課金制御や部門指定制御を可能とするカードリーダや、撮像装置等とのデータ通信を行うためのインターフェースとして機能するものである。
【００１８】
Ｉ／Ｆ制御部１１８は、ＷＬＡＮ／ＮＦＣ  Ｉ／Ｆ１０８、ＬＡＮ  Ｉ／Ｆ１１９、ＵＳＢ−Ｄ  Ｉ／Ｆ１２０、ＵＳＢ−Ｈ  Ｉ／Ｆ１２１、の動作制御を行うためのものである。
【００１９】
リーダＩ／Ｆ１１６は、リーダ部１０４との間でデータ通信を行うためのインターフェースとして機能するものである。プリンタＩ／Ｆ１１７は、プリントエンジン１０５との間でデータ通信を行うためのインターフェースとして機能するものである。
【００２０】
画像処理部１１５は、リーダＩ／Ｆ１１６を介してリーダ部１０４から受信した画像に対する様々な画像処理や、プリンタＩ／Ｆ１１７を介してプリントエンジン１０５に送出する印刷画像（文字も含む）の生成や該印刷画像に対する様々な画像処理を行う。
【００２１】
ＣＰＵ１１０、ＲＯＭコントローラ１１１、ＲＡＭコントローラ１１３、画像処理部１１５、Ｉ／Ｆ制御部１１８、操作部Ｉ／Ｆ１２２、のそれぞれはシステムバス１０９に接続されている。
【００２２】
次に、リーダ部１０４について説明する。リーダ部１０４は、紙などの記録媒体上に記録されている画像や文字などの情報を画像として読み取る装置であり、リーダ部１０４により読み取られた画像は、リーダＩ／Ｆ１１６を介して画像処理部１１５に対して送出される。
【００２３】
次に、プリントエンジン１０５について説明する。プリントエンジン１０５は、プリンタＩ／Ｆ１１７を介して画像処理部１１５から受け取った印刷画像に基づいて、紙などの記録媒体上に画像や文字などを印刷する印刷制御を行う。印刷方式については特定の印刷方式に限るものではない。
【００２４】
次に、操作部１０３について説明する。操作部制御回路１２６は、操作部１０３を構成する各ユニットの動作制御を行うためのものである。ＳＷ（スイッチ）１２３は、本装置が有する様々なハードキーにより構成されており、本装置のユーザが操作することで、様々な指示を操作部制御回路１２６に対して入力することができる。ＬＥＤ１２４は、点灯状態・消灯状態を切り替える事で、本装置のユーザに対して特定の情報を呈示するためのものである。
【００２５】
ＬＣＤ１２５は、画像や文字、様々なＧＵＩ（グラフィカルユーザインターフェース）を表示するためのものである。なお、このＬＣＤ１２５の代わりにタッチパネル画面を設けてもよく、その場合、このタッチパネル画面は、ＬＣＤ１２５の機能を有すると共に、このタッチパネル画面を介してユーザから様々な指示を受け付けることができる。
【００２６】
ＷＬＡＮ／ＮＦＣユニット１０６は、無線ＬＡＮデバイス（本実施形態の場合は携帯端末装置を含む）との間で無線ＬＡＮ通信を行うと共に、ＮＦＣアンテナ１０７を用いてＮＦＣデバイス（本実施形態の場合は携帯端末装置を含む）との間でＮＦＣを実現する。ＮＦＣアンテナ１０７は、銅箔によって形成されている。本実施形態では、無線ＬＡＮとしてIEEE802.１１規格に従った無線通信方式を採用するが、他の方式を採用しても構わない。また、本実施形態では近距離通信としてＮＦＣを採用しているが、他の方式を採用しても構わない。
【００２７】
次に、本実施形態に係る携帯端末装置（携帯端末）の構成例について、図２のブロック図を用いて説明する。なお、図２の携帯端末装置２０１の構成はあくまでも一例であり、携帯端末装置２０１が行うものとして後述する各処理を実行可能な構成であれば、如何なる構成を採用しても構わない。本実施形態に係る携帯端末装置２０１は、制御部２０２、操作部２０３、カメラ２２７、マイク２２８、スピーカ２２９を有する。
【００２８】
先ず、制御部２０２について説明する。制御部２０２は、プリント基板上に各種LSI・IC等の電気部品を配置して構成されるものであり、携帯端末装置２０１全体の動作制御を行うためのものである。
【００２９】
ＣＰＵ２１０は、ＲＯＭ２１２やＲＡＭ２１４に格納されているコンピュータプログラムやデータを用いて処理を実行することで、携帯端末装置２０１全体の動作制御を行うと共に、携帯端末装置２０１が行うものとして後述する各処理を実行する。
【００３０】
ＲＯＭ２１２には、携帯端末装置２０１の設定データや起動プログラム、携帯端末装置２０１を構成する各ユニットの動作制御を行うためのコンピュータプログラムやデータ、携帯端末装置２０１が行うものとして後述する各処理をＣＰＵ２１０に実行させるためのコンピュータプログラムやデータ、が格納されている。ＲＯＭ２１２に格納されているコンピュータプログラムには、無線ＬＡＮのプロトコルの制御を行う為の制御プログラム、ＮＦＣのプロトコル制御を行う為の制御プログラム、ジョブの送信を行う為の制御プログラム、が含まれている。ＲＯＭコントローラ２１１は、ＲＯＭ２１２へのアクセスを制御するためのコントローラである。
【００３１】
ＲＡＭ２１４は、ＲＯＭ２１２からロードされたコンピュータプログラムやデータ、本装置が有する各種のＩ／Ｆを介して受信したデータ、を一時的に記憶するためのエリアや、ＣＰＵ２１０が各種の処理を実行する際に用いるワークエリア、を有する。すなわち、ＲＡＭ２１４は、各種のエリアを適宜提供することができる。ＲＡＭコントローラ２１３は、ＲＡＭ２１４へのアクセスを制御するためのコントローラである。
【００３２】
携帯電話用無線部２０６は、携帯電話用無線Ｉ／Ｆ２０５による制御に従って携帯電話回線網にアンテナ２０９を介して接続するためのものであり、無線通信を行う高周波回路が搭載される物理層を含むものである。
【００３３】
操作部Ｉ／Ｆ２２２は、操作部１０３が有する操作系及び表示系のユニットとのデータ通信のためのインターフェースとして機能するものである。カメラＩ／Ｆ２１８は、カメラ２２７との間のデータ通信のためのＩ／Ｆとして機能するものである。画像処理部２１６は、カメラＩ／Ｆ２１８を介してカメラ２２７から受信した撮像画像に対して様々な画像処理を行う。
【００３４】
音声コーデック２１７は、マイク２２８から入力された音声信号を符号化して音声処理部２１５に出力したり、音声処理部２１５から受けた符号化音声信号を復号してスピーカ２２９に出力したりする。音声処理部２１５は、音声コーデック２１７からの符号化音声信号に対して様々な処理を行ったり、音声コーデック２１７へ符号化音声信号を転送したりする。
【００３５】
ＵＳＢ−Ｄ  Ｉ／Ｆ２２０は、ＵＳＢを介して本装置に接続されている機器（例えば、ホストＰＣなど）とのデータ通信を行うためのインターフェースとして機能するものである。
【００３６】
ＵＳＢ−Ｈ  Ｉ／Ｆ２２１は、ＵＳＢストレージユニット等の挿抜可能な記憶装置や、課金制御や部門指定制御を可能とするカードリーダや、撮像装置等とのデータ通信を行うためのインターフェースとして機能するものである。
【００３７】
ＷＬＡＮ／ＮＦＣ／Ｂｌｕｅｔｏｏｔｈ（登録商標）ユニット２１９は、無線ＬＡＮデバイス（本実施形態の場合はＭＦＰ１０１を含む）との間で無線ＬＡＮ通信を行ったり、ＮＦＣデバイス（本実施形態の場合はＭＦＰ１０１を含む）との間でＮＦＣを実現する。また、ＷＬＡＮ／ＮＦＣ／Ｂｌｕｅｔｏｏｔｈユニット２１９は、外部の機器との間でＢｌｕｅｔｏｏｔｈ通信をも行う。本実施形態では、無線ＬＡＮとしてIEEE802.１１規格に従った無線通信方式を採用するが、他の方式を採用しても構わない。また、本実施形態では近距離通信としてＮＦＣを採用しているが、他の方式を採用しても構わない。ＷＬＡＮ／ＮＦＣ／Ｂｌｕｅｔｏｏｔｈ  Ｉ／Ｆ２０８は、ＷＬＡＮ／ＮＦＣ／Ｂｌｕｅｔｏｏｔｈユニット２１９に対するインターフェースとして機能するものである。
【００３８】
Ｉ／Ｆ制御部２０７は、ＷＬＡＮ／ＮＦＣ／Ｂｌｕｅｔｏｏｔｈ  Ｉ／Ｆ２０８、ＵＳＢ−Ｄ  Ｉ／Ｆ２２０、ＵＳＢ−Ｈ  Ｉ／Ｆ２２１、の動作制御を行うためのものである。
【００３９】
ＣＰＵ２１０、ＲＯＭコントローラ２１１、ＲＡＭコントローラ２１３、音声処理部２１５、画像処理部２１６、操作部Ｉ／Ｆ２２２、携帯電話用無線Ｉ／Ｆ２０５、Ｉ／Ｆ制御部２０７は何れもシステムバス２０４に接続されている。
【００４０】
次に、カメラ２２７について説明する。カメラ２２７は、撮像方向（携帯端末装置２０１の方向）の静止画像若しくは動画像を撮像するものであり、撮像した静止画像若しくは動画像（各フレームの画像）を撮像画像としてカメラＩ／Ｆ２１８に対して出力する。
【００４１】
次に、マイク２２８について説明する。マイク２２８は、周辺の音を収集し、該収集した音を示す音声信号を音声コーデック２１７に対して出力する。
【００４２】
次に、スピーカ２２９について説明する。スピーカ２２９は、音声コーデック２１７から出力された音声信号に従って音を出力する。なお、音声の出力形態についてはスピーカ２２９に限るものではなく、ヘッドホンなど、他の出力形態を採用しても構わない。
【００４３】
次に、操作部２０３について説明する。操作部制御回路２２６は、操作部２０３を構成する各ユニットの動作制御を行うためのものである。ＳＷ（スイッチ）２２３は、本装置が有する様々なハードキーにより構成されており、本装置のユーザが操作することで、様々な指示を操作部制御回路２２６に対して入力することができる。
【００４４】
ＬＣＤ２２４は、画像や文字、様々なＧＵＩ（グラフィカルユーザインターフェース）を表示するためのものである。このＬＣＤ１２５はタッチパネル２２５と一体化されており、ユーザは自身の指や指示具などでもってタッチパネル２２５上でタッチ操作やスライド操作を行うことで、様々な指示をＣＰＵ２１０に対して入力することができる。
【００４５】
次に、本実施形態に係るシステムの外観例について、図３を用いて説明する。ＭＦＰ１０１は、ＮＦＣ用タッチエリア３０１を有しており、この下部にモールドのカバーを挟んでＮＦＣアンテナ１０７が内蔵されており、これにＷＬＡＮ／ＮＦＣユニット１０６が接続されている。
【００４６】
このＮＦＣアンテナ１０７に携帯端末装置２０１を近接させると、ＭＦＰ１０１及び携帯端末装置２０１の間でＮＦＣの通信が開始され、無線ＬＡＮの接続に必要な接続情報の交換が行われる。そしてこの交換後、ＭＦＰ１０１及び携帯端末装置２０１は、ＮＦＣによって取得した接続情報を用いて、IEEE802.11規格に従って無線通信を開始する。このような、ＮＦＣにより接続情報を交換し、該接続情報を用いて無線通信を開始する一連のシーケンスは、携帯端末装置２０１−ＭＦＰ１０１間だけでなく、その他の携帯端末装置−ＭＦＰ１０１間でも同様に行われる。然るに、ＭＦＰ１０１には、複数台の携帯端末装置が無線ＬＡＮ通信を介して接続することができる。
【００４７】
次に、上記の接続情報の交換後にＭＦＰ１０１が行う処理について、同処理のフローチャートを示す図４を用いて説明する。ＲＯＭ１１２には、図４のフローチャートに従った処理をＣＰＵ１１０に実行させるためのコンピュータプログラムやデータが格納されている。ＣＰＵ１１０はこのコンピュータプログラムやデータをＲＡＭ１１４に読み出して実行することで、図４のフローチャートに従った処理を実現する。
【００４８】
ステップＳ４０１では、携帯端末装置２０１等の無線機器との無線ＬＡＮ通信が確立されたか否かを判断する。ＭＦＰ１０１と無線機器との間で無線ＬＡＮ通信を確立させるための方法には様々な方法がある。
【００４９】
例えば、図３の様な利用形態の状況でＮＦＣ機能付きの無線機器をＮＦＣ用タッチエリア３０１に接近させると、ＮＦＣにより上記接続情報のやり取りが行われ、その後、ＭＦＰ１０１と無線機器との間で無線ＬＡＮの接続が行われる。
【００５０】
その他の方法としては、例えば、ユーザがＭＦＰ１０１の操作部１０３（ＳＷ１２３やタッチパネル画面）を操作してWiFiダイレクトモードを設定すると、ＭＦＰ１０１は接続可能な無線機器を探索し、探索された無線機器から適切な無線機器を選択して接続する。
【００５１】
ステップＳ４０１における判断の結果、無線ＬＡＮ通信が確立された場合には、処理はステップＳ４０２に進み、確立されていない場合には、処理はステップＳ４０１で待機する。
【００５２】
ステップＳ４０２では、ＣＰＵ１１０は、ステップＳ４０１で無線ＬＡＮ通信が確立したと判断した無線機器から該確立のために受信した上記接続情報から該無線機器の識別情報を抽出する。そしてＣＰＵ１１０は、この識別情報と、「接続切断までの時間」を表す値（時間値）と、を関連づけて、ＲＡＭ１１４内で管理している接続デバイス管理リストに登録する。時間値は、適当な初期値（初期時間）に初期化してから登録する。この接続デバイス管理リストの構成例を図５に示す。図５において「デバイスＩＤ」は無線機器の識別情報の一例であり、「切断までの時間」は、現時点から接続を切断するまでの時間である。
【００５３】
ステップＳ４０３では、ＣＰＵ１１０は、無線ＬＡＮ通信によりジョブを受信したか否かを判断する。ここではジョブが印刷ジョブである場合について説明するが、ＭＦＰ１０１が実行可能なジョブであれば、如何なる種類のジョブであっても構わない。この判断の結果、無線ＬＡＮ通信によりジョブを受信した場合には、処理はステップＳ４０４に進み、受信していない場合には、処理はステップＳ４０８に進む。
【００５４】
ステップＳ４０４では、ＣＰＵ１１０は、受信した印刷ジョブを処理する。具体的には、ＣＰＵ１１０は、受信した印刷ジョブを画像処理部１１５に転送する。画像処理部１１５はこの印刷ジョブに基づいて印刷画像を生成し、該生成した印刷画像をプリンタＩ／Ｆ１１７を介してプリントエンジン１０５に転送するので、結果として印刷ジョブに基づく印刷処理が行われることになる。
【００５５】
ステップＳ４０５では、ＣＰＵ１１０は、受信した印刷ジョブに添付されている、該印刷ジョブの送信元の識別情報を参照し、該参照した識別情報と関連づけて接続デバイス管理リストに登録されている時間値を適当な初期値（初期時間）に初期化する。
【００５６】
ここで、ＣＰＵ１１０は、図４のフローチャートに従った処理を開始してから一定時間毎にステップＳ４０９の処理を行うので、ステップＳ４０８では、ＣＰＵ１１０は、現在時刻がステップＳ４０９の実行タイミングであるか否かを判断する。時間の計時はＣＰＵ１１０のタイマ機能を用いて実現可能である。もちろん、ステップＳ４０９の実行タイミングはこれに限るものではない。この判断の結果、現在時刻がステップＳ４０９の実行タイミングである場合には、処理はステップＳ４０９に進み、現在時刻がステップＳ４０９の実行タイミングではない場合には、処理はステップＳ４１２に進む。
【００５７】
ステップＳ４０９では、ＣＰＵ１１０は、接続デバイス管理リストに登録されている全ての時間値から「１」だけデクリメントする。デクリメント量は「１」以外でも構わない。
【００５８】
ステップＳ４１０では、ＣＰＵ１１０は、接続デバイス管理リストに登録されている全ての時間値をチェックし、値が「０」よりも小さくなった時間値が該接続デバイス管理リストに登録されているかを判断する。この判断の結果、値が「０」よりも小さくなった時間値が該接続デバイス管理リストに登録されている場合には、処理はステップＳ４１１に進む。一方、値が「０」よりも小さくなった時間値が該接続デバイス管理リストに登録されていない場合には、処理はステップＳ４１２に進む。
【００５９】
ステップＳ４１１では、ＣＰＵ１１０は、値が「０」よりも小さくなった時間値及び該時間値と関連づけて接続デバイス管理リストに登録されている識別情報のセットを、該接続デバイス管理リストから削除する。
【００６０】
ステップＳ４１２では、ＣＰＵ１１０は、接続デバイス管理リストに時間値と識別情報のセットが１セット以上登録されているか否かを判断する。この判断の結果、時間値と識別情報のセットが１セット以上接続デバイス管理リストに登録されている（接続デバイス管理リストは空ではない）場合には、処理はステップＳ４１３に進む。一方、接続デバイス管理リストに時間値と識別情報のセットは登録されていない（接続デバイス管理リストは空である）場合には、処理はステップＳ４１６に進む。
【００６１】
ステップＳ４１３では、ＣＰＵ１１０は、無線ＬＡＮ通信により、該無線ＬＡＮ通信の切断要求を受けたか否かを判断する。この判断の結果、受けた場合には、処理はステップＳ４１４に進み、受けていない場合には、処理はステップＳ４０３に進む。
【００６２】
ステップＳ４１４では、ＣＰＵ１１０は、接続デバイス管理リストから、切断要求に含まれている識別情報と、該識別情報に関連づけて接続デバイス管理リストに登録されている時間値と、を接続デバイス管理リストから削除する。更にＣＰＵ２１０は、切断要求の送信元との無線ＬＡＮ通信を切断する為の処理を開始する。
【００６３】
ステップＳ４１５では、ＣＰＵ１１０は、接続デバイス管理リストに時間値と識別情報のセットが１セット以上登録されているか否かを判断する。この判断の結果、時間値と識別情報のセットが１セット以上接続デバイス管理リストに登録されている（接続デバイス管理リストは空ではない）場合には、処理はステップＳ４０３に進む。一方、接続デバイス管理リストに時間値と識別情報のセットは登録されていない（接続デバイス管理リストは空である）場合には、処理はステップＳ４１６に進む。
【００６４】
ステップＳ４１６では、ＣＰＵ２１０は、通信モードを、インフラストラクチャーモードに変更する。例えば、WiFiダイレクトモードからインフラストラクチャーモードに変更する。
【００６５】
次に、上記の接続情報の交換後に携帯端末装置２０１が行う処理について、同処理のフローチャートを示す図６を用いて説明する。ＲＯＭ２１２には、図６のフローチャートに従った処理をＣＰＵ２１０に実行させるためのコンピュータプログラムやデータが格納されている。ＣＰＵ２１０はこのコンピュータプログラムやデータをＲＡＭ２１４に読み出して実行することで、図６のフローチャートに従った処理を実現する。
【００６６】
ステップＳ６０１では、ＭＦＰ１０１との無線ＬＡＮ通信が確立されたか否かを判断する。ＭＦＰ１０１との間で無線ＬＡＮ通信を確立させるための方法については上記の通りである。
【００６７】
ステップＳ６０１における判断の結果、無線ＬＡＮ通信が確立された場合には、処理はステップＳ６０２に進み、確立されていない場合には、処理はステップＳ６０１で待機する。
【００６８】
ステップＳ６０２では、ＣＰＵ２１０は、ユーザがタッチパネル２２５上で印刷対象のファイルを選択するための画面の表示指示を入力すると、図７に例示するような画面をＬＣＤ２２４に表示させる。図７に例示した画面では、ＲＡＭ１１４に登録されている複数のファイルのサムネイルが一覧表示されている。ユーザはこの一覧表示されたサムネイルの中から印刷したいファイルのサムネイル７０１にタッチし、その後、ボタン７０２にタッチすることで、ＣＰＵ２１０は、このタッチされたサムネイル７０１に対応するファイルを印刷対象として選択し、該ファイルの印刷ジョブを生成する。そしてＣＰＵ２１０は、無線ＬＡＮ通信によりこの生成した印刷ジョブの送信を開始する。なお、印刷対象のファイルを決定する方法は上記の方法に限るものではない。
【００６９】
そしてステップＳ６０３では、ＣＰＵ２１０は、印刷ジョブの送信が完了したか否かを判断する。この判断の結果、完了した場合には、処理はステップＳ６０４に進み、未だ完了していない場合には、処理はステップＳ６０３で待機し、送信の完了を待つ。
【００７０】
ステップＳ６０４では、ＣＰＵ２１０は、無線ＬＡＮ通信の接続を継続させて引き続きＭＦＰ１０１へのジョブ送信を行うのか、それともＭＦＰ１０１との無線ＬＡＮ通信を切断するかをユーザに問い合わせるための画面をＬＣＤ２２４に表示して、ユーザの選択指示を受け付ける。ＣＰＵ２１０は、例えば、図８に例示するような画面をＬＣＤ２２４に表示する。図８に例示した画面では、無線ＬＡＮ通信の接続を継続させて引き続きＭＦＰ１０１へのジョブ送信を行うのか、それともＭＦＰ１０１との無線ＬＡＮ通信を切断するかをユーザに問い合わせるメッセージ８０１が表示されている。ここで、ユーザがボタン８０２をタッチすると、ＣＰＵ２１０は、無線ＬＡＮ通信の接続を継続させて引き続きＭＦＰ１０１へのジョブ送信を行う指示が入力されたものと判断する。一方、ユーザがボタン８０３をタッチすると、ＣＰＵ２１０は、ＭＦＰ１０１との無線ＬＡＮ通信を切断する指示が入力されたものと判断する。
【００７１】
そしてＣＰＵ２１０は、ボタン８０２，８０３の何れかがタッチされたのか、それとも何れにもタッチしていないのかを判断する。この判断の結果、ボタン８０２，８０３の何れかがタッチされた場合には、処理はステップＳ６０５に進み、何れにもタッチしていない場合には、処理はステップＳ６０４で待機する。
【００７２】
ステップＳ６０５では、ＣＰＵ２１０は、ボタン８０２，８０３の何れかがタッチされたのかを判断する。そしてボタン８０２がタッチされた場合、即ち、ＣＰＵ２１０が、無線ＬＡＮ通信の接続を継続させて引き続きＭＦＰ１０１へのジョブ送信を行う指示が入力されたものと判断した場合には、処理はステップＳ６０６を介してステップＳ６０２に進む。一方、ボタン８０３がタッチされた場合、即ち、ＣＰＵ２１０が、ＭＦＰ１０１との無線ＬＡＮ通信を切断する指示が入力されたものと判断した場合には、処理はステップＳ６０６を介してステップＳ６０７に進む。
【００７３】
ステップＳ６０７では、ＣＰＵ２１０は、ＭＦＰ１０１に対して、無線ＬＡＮ通信でもって切断要求を送信すると共に、該無線ＬＡＮ通信を切断する為の処理を開始する。
【００７４】
このように、携帯端末装置２０１は、ジョブの送信が完了するたびに、無線通信接続を継続させるか否かをユーザが選択して指示するための画面を表示部に表示させる。そして、無線通信接続を継続させない旨の指示が入力された場合には、該無線通信接続を切断する。然るに、このような動作を可能にするのであれば、この画面の構成やその操作方法は上記の例に限るものではない。
【００７５】
［第２の実施形態］
本実施形態では、携帯端末装置２０１の動作が第１の実施形態と異なり、ＭＦＰ１０１の動作については、ステップＳ４０４における処理を除き、第１の実施形態と同様である。以下では、第１の実施形態との差分について重点的に説明し、以下で特に触れない限りは、第１の実施形態と同様であるものとする。
【００７６】
先ず、本実施形態に係る携帯端末装置２０１が上記の接続情報の交換後に行う処理について、同処理の図９のフローチャートを用いて説明する。ＲＯＭ２１２には、図９のフローチャートに従った処理をＣＰＵ２１０に実行させるためのコンピュータプログラムやデータが格納されている。ＣＰＵ２１０はこのコンピュータプログラムやデータをＲＡＭ２１４に読み出して実行することで、図９のフローチャートに従った処理を実現する。
【００７７】
ステップＳ９０１では、ＭＦＰ１０１との無線ＬＡＮ通信が確立されたか否かを判断する。ＭＦＰ１０１との間で無線ＬＡＮ通信を確立させるための方法については上記の通りである。
【００７８】
ステップＳ９０１における判断の結果、無線ＬＡＮ通信が確立された場合には、処理はステップＳ９０２に進み、確立されていない場合には、処理はステップＳ９０１で待機する。
【００７９】
ステップＳ９０２では、ＣＰＵ２１０は、上記のステップＳ６０２と同様の処理を行うことで、ユーザにより指定されたファイルの印刷ジョブを生成し、無線ＬＡＮ通信により該印刷ジョブの送信を開始する。
【００８０】
ステップＳ９０３では、ＣＰＵ２１０は、ＭＦＰ１０１から印刷ジョブに基づく印刷処理が正常に完了したのか、それとも正常に完了していないのか、を示す通知を受けたか否かを判断する。この判断の結果、この通知を受けた場合には、処理はステップＳ９０４に進み、受けていない場合には、ステップＳ９０３で待機する。
【００８１】
ステップＳ９０４では、ＣＰＵ２１０は、ＭＦＰ１０１から受けた通知が、印刷ジョブに基づく印刷処理が正常に完了したことを示した通知であるのか、それとも、正常に完了していないことを示した通知であるのか、を判断する。この判断の結果、ＭＦＰ１０１から受けた通知が、印刷ジョブに基づく印刷処理が正常に完了したことを示した通知である場合には、処理はステップＳ９０５に進み、正常に完了していないことを示した通知である場合には、処理はステップＳ９０８に進む。
【００８２】
ステップＳ９０５では、ＣＰＵ２１０は、無線ＬＡＮ通信の接続を継続させて引き続きＭＦＰ１０１へのジョブ送信を行うのか、それともＭＦＰ１０１との無線ＬＡＮ通信を切断するかをユーザに問い合わせるための画面をＬＣＤ２２４に表示して、ユーザの選択指示を受け付ける。例えば、図１１に例示する画面をＬＣＤ２２４に表示させる。図１１に例示した画面では、印刷ジョブの送信及び該印刷ジョブに基づく印刷が正常に完了したことを通知すると共に、接続を継続させるか否かを選択するよう促すためのメッセージ１１０１が表示されている。ここで、ユーザがボタン１１０２をタッチすると、ＣＰＵ２１０は、無線ＬＡＮ通信の接続を継続させて引き続きＭＦＰ１０１へのジョブ送信を行う指示が入力されたものと判断する。一方、ユーザがボタン１１０３をタッチすると、ＣＰＵ２１０は、ＭＦＰ１０１との無線ＬＡＮ通信を切断する指示が入力されたものと判断する。
【００８３】
ステップＳ９０６では、ＣＰＵ２１０は、ボタン１１０２，１１０３の何れかがタッチされたのか、それとも何れにもタッチしていないのかを判断する。この判断の結果、ボタン１１０２，１１０３の何れかがタッチされた場合には、処理はステップＳ９０７に進み、何れにもタッチしていない場合には、処理はステップＳ９０６で待機する。
【００８４】
ステップＳ９０７では、ＣＰＵ２１０は、ボタン１１０２がタッチされたのか、それともボタン１１０３がタッチされたのか、を判断する。そして、ボタン１１０２がタッチされたものと判断した場合、即ち、無線ＬＡＮ通信の接続を継続させて引き続きＭＦＰ１０１へのジョブ送信を行う指示が入力されたものと判断した場合には、処理はステップＳ９０８に進む。一方、ボタン１１０３がタッチされたものと判断した場合、即ち、ＭＦＰ１０１との無線ＬＡＮ通信を切断する指示が入力されたものと判断した場合には、処理はステップＳ９１４に進む。
【００８５】
ステップＳ９１４では、ＣＰＵ２１０は、ＭＦＰ１０１に対して、無線ＬＡＮ通信でもって切断要求を送信すると共に、該無線ＬＡＮ通信を切断する為の処理を開始する。ステップＳ９０８では、ＣＰＵ２１０は、自身が有するタイムアウト用タイマの値を０に初期化する。ステップＳ９０９では、タイムアウト用タイマの初期化から一定時間が経過した後、タイムアウト用タイマを動作させて計時を開始する。
【００８６】
ステップＳ９１０では、ＣＰＵ２１０は、タイムアウト用タイマが計時した時間が規定時間に達したか（タイムアウトか）否かを判断する。この判断の結果、規定時間に達した（タイムアウト）場合には、処理はステップＳ９１１に進み、まだ規定時間に達していない場合には、処理はステップＳ９０９に進み、計時を続ける。
【００８７】
ステップＳ９１１では、ＣＰＵ２１０は、無線ＬＡＮ通信の接続を継続させて引き続きＭＦＰ１０１へのジョブ送信を行うのか、それともＭＦＰ１０１との無線ＬＡＮ通信を切断するかをユーザに問い合わせるための画面をＬＣＤ２２４に表示して、ユーザの選択指示を受け付ける。例えば、図１２に例示する画面をＬＣＤ２２４に表示させる。図１２に例示した画面では、無線ＬＡＮ通信であるＷｉＦｉダイレクトによる無線通信が継続されていることを通知すると共に、接続を継続させるか否かを選択するよう促すためのメッセージ１２０１が表示されている。ここで、ユーザがボタン１２０２をタッチすると、ＣＰＵ２１０は、無線ＬＡＮ通信の接続を継続させて引き続きＭＦＰ１０１へのジョブ送信を行う指示が入力されたものと判断する。一方、ユーザがボタン１２０３をタッチすると、ＣＰＵ２１０は、ＭＦＰ１０１との無線ＬＡＮ通信を切断する指示が入力されたものと判断する。
【００８８】
ステップＳ９１２では、ＣＰＵ２１０は、ボタン１２０２，１２０３の何れかがタッチされたのか、それとも何れにもタッチしていないのかを判断する。この判断の結果、ボタン１２０２，１２０３の何れかがタッチされた場合には、処理はステップＳ９１３に進み、何れにもタッチしていない場合には、処理はステップＳ９１２で待機する。
【００８９】
ステップＳ９１３では、ＣＰＵ２１０は、ボタン１２０２がタッチされたのか、それともボタン１２０３がタッチされたのか、を判断する。そして、ボタン１２０２がタッチされたものと判断した場合、即ち、無線ＬＡＮ通信の接続を継続させて引き続きＭＦＰ１０１へのジョブ送信を行う指示が入力されたものと判断した場合には、処理はステップＳ９０８に進む。一方、ボタン１２０３がタッチされたものと判断した場合、即ち、ＭＦＰ１０１との無線ＬＡＮ通信を切断する指示が入力されたものと判断した場合には、処理はステップＳ９１４に進む。
【００９０】
ステップＳ９１５では、ＣＰＵ２１０は、無線ＬＡＮ通信の接続を継続させて引き続きＭＦＰ１０１へのジョブ送信を行うのか、それともＭＦＰ１０１との無線ＬＡＮ通信を切断するかをユーザに問い合わせるための画面をＬＣＤ２２４に表示して、ユーザの選択指示を受け付ける。例えば、図１３に例示する画面をＬＣＤ２２４に表示させる。図１３に例示した画面では、プリンタ（プリントエンジン１０５）においてエラーが発生したことを通知すると共に、接続を継続させるか否かを選択するよう促すためのメッセージ１３０１が表示されている。ここで、ユーザがボタン１３０２をタッチすると、ＣＰＵ２１０は、無線ＬＡＮ通信の接続を継続させて引き続きＭＦＰ１０１へのジョブ送信を行う指示が入力されたものと判断する。一方、ユーザがボタン１３０３をタッチすると、ＣＰＵ２１０は、ＭＦＰ１０１との無線ＬＡＮ通信を切断する指示が入力されたものと判断する。
【００９１】
ステップＳ９１６では、ＣＰＵ２１０は、ボタン１３０２，１３０３の何れかがタッチされたのか、それとも何れにもタッチしていないのかを判断する。この判断の結果、ボタン１３０２，１３０３の何れかがタッチされた場合には、処理はステップＳ９１７に進み、何れにもタッチしていない場合には、処理はステップＳ９１６で待機する。
【００９２】
ステップＳ９１７では、ＣＰＵ２１０は、ボタン１３０２がタッチされたのか、それともボタン１３０３がタッチされたのか、を判断する。そして、ボタン１３０２がタッチされたものと判断した場合、即ち、無線ＬＡＮ通信の接続を継続させて引き続きＭＦＰ１０１へのジョブ送信を行う指示が入力されたものと判断した場合には、処理はステップＳ９１８に進む。一方、ボタン１３０３がタッチされたものと判断した場合、即ち、ＭＦＰ１０１との無線ＬＡＮ通信を切断する指示が入力されたものと判断した場合には、処理はステップＳ９１４に進む。
【００９３】
ステップＳ９１８では、ＣＰＵ２１０は、自身が有するタイムアウト用タイマの値を０に初期化する。ステップＳ９１９では、タイムアウト用タイマの初期化から一定時間が経過した後、タイムアウト用タイマを動作させて計時を開始する。
【００９４】
ステップＳ９２０では、ＣＰＵ２１０は、ＭＦＰ１０１から、印刷を再開する旨の通知（印刷再開通知）を受けたか否かを判断する。この判断の結果、受けた場合には、処理はステップＳ９０４に進む。一方、受けていない場合には、処理はステップＳ９２１に進む。
【００９５】
ステップＳ９２１では、ＣＰＵ２１０は、タイムアウト用タイマが計時した時間が規定時間に達したか（タイムアウトか）否かを判断する。この判断の結果、規定時間に達した（タイムアウト）場合には、処理はステップＳ９２２に進み、まだ規定時間に達していない場合には、処理はステップＳ９１９に進み、計時を続ける。
【００９６】
ステップＳ９２２では、ＣＰＵ２１０は、ステップＳ９１１と同様にして、図１２に例示する画面をＬＣＤ２２４に表示して、ユーザの選択指示を受け付ける。
【００９７】
ステップＳ９２３では、ＣＰＵ２１０は、ボタン１２０２，１２０３の何れかがタッチされたのか、それとも何れにもタッチしていないのかを判断する。この判断の結果、ボタン１２０２，１２０３の何れかがタッチされた場合には、処理はステップＳ９２４に進み、何れにもタッチしていない場合には、処理はステップＳ９２３で待機する。
【００９８】
ステップＳ９２４では、ＣＰＵ２１０は、ボタン１２０２がタッチされたのか、それともボタン１２０３がタッチされたのか、を判断する。そして、ボタン１２０２がタッチされたものと判断した場合、即ち、無線ＬＡＮ通信の接続を継続させて引き続きＭＦＰ１０１へのジョブ送信を行う指示が入力されたものと判断した場合には、処理はステップＳ９１８に進む。一方、ボタン１２０３がタッチされたものと判断した場合、即ち、ＭＦＰ１０１との無線ＬＡＮ通信を切断する指示が入力されたものと判断した場合には、処理はステップＳ９１４に進む。
【００９９】
次に、本実施形態に係るステップＳ４０４における処理の詳細について、図１０のフローチャートを用いて説明する。
【０１００】
ステップＳ１００１では、ＣＰＵ１１０は、印刷ジョブを受信したか否かを判断する。この判断の結果、受信した場合には、処理はステップＳ１００２に進み、未だ受信していない場合には、処理はステップＳ１００１で待機する。
【０１０１】
ステップＳ１００２では、ＣＰＵ１１０は、受信した印刷ジョブに基づく印刷処理が終了（印刷処理に成功して終了した場合と印刷処理の過程でエラーが生じて処理が終了してしまった場合の何れか）したか否かを判断する。そして、この判断の結果、終了した場合には、処理はステップＳ１００３に進み、終了していない場合には、終了するまでステップＳ１００２で待機する。
【０１０２】
ステップＳ１００３では、ＣＰＵ１１０は、受信した印刷ジョブに基づく印刷処理が正常に行われて完了したのか、それとも印刷処理の過程でエラーが生じて処理が終了してしまったのか、を判断する。例えば、用紙無し・紙詰まり・トナー無し等の異常が発生すれば、正常終了では無く異常終了となる。このようなエラーは、ＭＦＰ１０１が有する不図示のセンサにより検知可能である。
【０１０３】
この判断の結果、受信した印刷ジョブに基づく印刷処理が正常に行われて完了した場合には、処理はステップＳ１００７に進み、印刷処理の過程でエラーが生じて処理が終了してしまった場合には、処理はステップＳ１００４に進む。
【０１０４】
ステップＳ１００４では、ＣＰＵ１１０は、印刷ジョブに基づく印刷処理が正常に完了しなかった旨の通知を、携帯端末装置２０１に対して無線ＬＡＮ通信でもって送信する。この通知には、エラーの詳細を含めても構わない。
【０１０５】
そして、上記のエラーの原因が取り除かれたなど、印刷の再開が可能となり、それによりプリントエンジン１０５が印刷を再開したことをＣＰＵ１１０が検知した場合、処理はステップＳ１００５を介してステップＳ１００６に進む。一方、ＣＰＵ１１０が、プリントエンジン１０５による印刷の再開を未だ検知していない場合には、処理はステップＳ１００５で待機する。
【０１０６】
ステップＳ１００６では、ＣＰＵ１１０は、印刷再開通知を携帯端末装置２０１に対して送信する。
【０１０７】
ステップＳ１００７では、ＣＰＵ１１０は、携帯端末装置２０１に対して、印刷ジョブに基づく印刷処理が正常に完了したことを、無線ＬＡＮ通信でもって通知する。
【０１０８】
なお、上記でも触れたように、ＬＣＤ２２４に表示する様々な画面はあくまでも一例であり、同様の目的を達成できるのであれば、画面構成やその操作方法については上記の例に限らない。また、同様の目的を達成できるのであれば、上記の説明で用いた様々な画面を介した操作入力の代わりに、他の方法でもって情報入力を行っても良い。
【０１０９】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１１０】
１０６：ＷＬＡＮ／ＮＦＣユニット  ２１０：ＣＰＵ
【図１】
2015197819.tif 000003
【図２】
2015197819.tif 000004
【図３】
2015197819.tif 000005
【図４】
2015197819.tif 000006
【図５】
2015197819.tif 000007
【図６】
2015197819.tif 000008
【図７】
2015197819.tif 000009
【図８】
2015197819.tif 000010
【図９】
2015197819.tif 000011
【図１０】
2015197819.tif 000012
【図１１】
2015197819.tif 000013
【図１２】
2015197819.tif 000014
【図１３】
2015197819.tif 000015